(57)【要約】【課題】この発明は、キャスタと該キャスタの被取付体との間に介設されて、高さと取付孔のピッチを変更することができるキャスタ取付部材に関する。【解決手段】このキャスタ取付部材は、キャスタと該キャスタの被取付体との間に介設されるものであって、キャスタの上端に設けられた取付台盤の縁部を拘束又は固定する拘束部を底部に有し、被取付体側の取付部と整合するピッチに配置された複数の取付部を頂部に設けてなることを特徴とする。【選択図】　図１
2004066867.tif 000002
【特許請求の範囲】
【請求項１】
キャスタと該キャスタの被取付体との間に介設されるキャスタ取付部材において、
キャスタの上端に設けられた取付台盤の縁部を拘束又は固定する拘束部を底部に有し、被取付体側の取付部と整合するピッチに配置された複数の取付部を頂部に設けてなることを特徴とするキャスタ取付部材。
【請求項２】
キャスタ取付部材が、ベース壁部を底部とし、該ベース壁部上に離間して突設された第１突部と第２突部のそれぞれの頂壁面を頂部とし、
ベース壁部にキャスタの取付台盤の前後方向の端部を拘束または固定する第１拘束部と、キャスタの取付台盤の左右方向の端部を拘束または固定する第２拘束部とを設けてなることを特徴とする請求項１に記載のキャスタ取付部材。
【請求項３】
キャスタ取付部材が、その頂部を、第１突部と、該第１突部と離間して配置された第２突部のそれぞれの頂壁面とし、
底部を、前記第１突部と第２突部の下部を一連に繋ぐ中央ベース壁部、および前記第１突部または第２突部から前記中央ベース壁部と略同一面状に外方へ延出する補助ベース壁部とを設け、
前記第１突部と第２突部のそれぞれの頂壁面に所定間隔で複数の取付部を設けており、
中央ベース壁部および補助ベース壁部にキャスタの取付台盤の前後方向の端部を拘束または固定する第１拘束部を設け、中央ベース壁部にキャスタの取付台盤の左右方向の端部を拘束または固定する第２拘束部とを設けてなることを特徴とする請求項２に記載のキャスタ取付部材。
【請求項４】
第２突部の頂壁部の延出端で略直角に立設するストッパ壁部を設けてなることを特徴とする請求項２または３に記載のキャスタ取付部材。
【請求項５】
第１拘束部または第２拘束部が、キャスタの取付台盤の前後または左右の端部に沿ってチャンネル状に折り曲げられ、
第２拘束部または第１拘束部が、前記取付台盤の左右の端部または前後の端部に衝合して、取付台盤を四方から拘束してなることを特徴とする請求項２、３または４に記載のキャスタ取付部材。
【発明の詳細な説明】
【０００１】
【発明の属する技術分野】
この発明は、キャスタと該キャスタの被取付体との間に介設されて、高さと取付孔のピッチを変更することができるキャスタ取付部材に関する。
【０００２】
【従来の技術】
キャスタの被取付体への取付は、キャスタの旋回軸上に固定された取付台盤に穿設された取付孔の位置によって予め定められている。
しかし、被取付体の取付孔のピッチが、上記キャスタの取付孔のピッチと異なる場合には、キャスタを取り付けることができない。
また、被取付体のキャスタ取付後の高さを所定の高さとしたい場合に、キャスタの高さが低いと、そのキャスタを使用することができない。
特に、被取付体にアジャスターやストッパなどの設置（接地）手段が取り付けてあって、これらをキャスタに変更する場合には、上記取付孔のピッチが異なり、また、被取付体の接地面からの高さが従前と異なってしまうので、それらのサイズに合わせたキャスタを製作する必要があり、簡便に汎用品のキャスタに変更することができない欠点があった。
【０００３】
【発明が解決しようとする課題】
この発明は、上記事情に鑑みて創案されたものであって、その主たる課題は、取付孔のピッチや、取付後の被取付体の高さが異なる場合に、キャスタ取付部材を介設することにより、簡便にキャスタを取り付けることができるようにしたことにある。
【０００４】
【課題を解決するための手段】
前記課題を達成するために、請求項１の発明では、
キャスタと該キャスタの被取付体との間に介設されるキャスタ取付部材において、
キャスタの上端に設けられた取付台盤の縁部を拘束又は固定する拘束部を底部に有し、被取付体側の取付部と整合するピッチに配置された複数の取付部を頂部に設けてなる、という技術的手段を講じている。
また、請求項２の発明では、
キャスタ取付部材が、ベース壁部を底部とし、該ベース壁部上に離間して突設された第１突部と第２突部のそれぞれの頂壁面を頂部とし、
ベース壁部にキャスタの取付台盤の前後方向の端部を拘束または固定する第１拘束部と、キャスタの取付台盤の左右方向の端部を拘束または固定する第２拘束部とを設けてなる、という技術的手段を講じている。
また、請求項３の発明では、
キャスタ取付部材が、その頂部を、第１突部と、該第１突部と離間して配置された第２突部のそれぞれの頂壁面とし、底部を、前記第１突部と第２突部の下部を一連に繋ぐ中央ベース壁部、および前記第１突部または第２突部から前記中央ベース壁部と略同一面状に外方へ延出する補助ベース壁部とを設け、前記第１突部と第２突部のそれぞれの頂壁面に所定間隔で複数の取付部を設けており、
中央ベース壁部および補助ベース壁部にキャスタの取付台盤の前後方向の端部を拘束または固定する第１拘束部を設け、中央ベース壁部にキャスタの取付台盤の左右方向の端部を拘束または固定する第２拘束部とを設けてなる、という技術的手段を講じている。
更に、請求項４の発明では、
前記第２突部の頂壁部の延出端で略直角に立設するストッパ壁部を設けてなる、という技術的手段を講じている。
また、請求項５の発明では、
前記第１拘束部または第２拘束部が、キャスタの取付台盤の前後または左右の端部に沿ってチャンネル状に折り曲げられ、
第２拘束部または第１拘束部が、前記取付台盤の左右の端部または前後の端部に衝合して、取付台盤を四方から拘束してなる、という技術的手段を講じている。
【０００５】
【発明の実施の形態】
以下に、この発明のキャスタ取付部材の好適実施例について図面を参照しながら説明する。
図１から図３に示すキャスタ取付部材１は、断面チャンネル状の第１突部３と、補助ベース壁部２と中央ベース壁部４とからなるベース壁部と、断面アングル状の第２突部５とからなる折板構造からなっている。
【０００６】
即ち、補助ベース壁部２は、幅狭に設定されて水平に延びている。
次に、第１突部３は、上記補助ベース壁部２の一方の端部から略直角に折れ曲がる第１立上り壁部３１と、該第１立上り壁部３１の先端から略直角に折れ曲がって水平に延びる第１頂壁部３２と、該第１頂壁部３２の延出端から略直角に折れ曲がり前記補助ベース壁部３１と同一水平面まで延びる第２立上り壁部３３とからなっている。
【０００７】
次に、前記第２立上り壁部３２の下端から前記補助ベース壁部２と同一水平面上に延びる中央ベース壁部４が設けられている。
次に第２突部５は倒立したアングル状からなっており、上記中央ベース壁部４の延出端から略直角に折れ曲がる第３立上り壁部５１と、該第３立上り壁部５１の先端から略直角に折れ曲がって前記第１頂壁部３２と同一水平面上に延びる第２頂壁部５２とから構成されている。
そして、第２頂壁部５２の延出端には、左右両側で略直角に立設するストッパ片５３を設けて、被取付物への位置決め用としている。
【０００８】
次に、前記補助ベース壁部２の基端側と、中央ベース壁部４の延出端側には、キャスタ１０の取付台盤１１を前後方向に拘束する第１拘束部の一例として一対の第１拘束片６ａ、６ｂが設けられている。
ここで、符号１２は、取付台盤１１に設けられた取付部としての取付孔である。
【０００９】
そして、基端側の第１拘束片６ａは、補助ベース壁部２の端部中央で垂下しており、その先端を取付台盤１１の前方縁部を覆うようにチャンネル状に折り曲げて拘束している。
一方、中途位置に設けた第１拘束片６ｂは、中央ベース壁部４の延出端側で第３立上り壁部５１の基端となる個所を下方に切り起こして断面Ｌ状に折り曲げた図示例構成からなっており、取付台盤１１の後方縁部を掛止めるようになっている。
【００１０】
また、中央ベース壁部４の左右端寄りには、キャスタ１０の取付台盤１１を左右方向に拘束する第２拘束部の一例としての一対の第２拘束片７ａ、７ｂを設けている。
この第２拘束片７ａ、７ｂは、第２立上り壁部３３の下端から中央ベース壁部４の中途位置まで前後に延びる切込み線７ｃを設け、下方に断面Ｖ字状に折り曲げて形成されている。
これにより、左右に設けられた第２拘束片７ａ、７ｂが衝合壁となって、取付台盤１１の左右縁部と衝合し、左右方向の位置決めを行うようになっている。
【００１１】
図示例の場合は、中途位置の第１拘束片６ｂと第２拘束片７ａ、７ｂとで取付台盤１１を掛け止めて位置決めし、基端の第１拘束片６ａを折り曲げて取付台盤１１をキャスタ取付部材１に固定したが、いずれか１つの拘束片を最後に成形して拘束するようにしてもよい。
【００１２】
次に、前記第１頂壁部３２と、第２頂壁部５２には、それぞれ被取付物の取付用の孔に整合するように、同じピッチに設定された複数（図示例では４個所）の取付孔８を穿設している。
また、この取付孔８は、第１頂壁部３２および第２頂壁部５２に形成されているので、その下方の空間を利用することができる。
【００１３】
本実施例では、取付孔８の下方にはナット部９を一体に固着して、上記空間内に納めており、被取付物の上方からボルト締めすることができるようになっている。
しかし、この発明では、ナット部９を設けずに、取付孔８だけを穿設するものでもよい。
【００１４】
また、この場合、取付孔に代えて、掛止用の拘束手段を一部に設けるようにした取付部としてもよい。
要するに、最上部となる第１頂壁部３２および第２頂壁部５２に被取付物に連結するための構成が施されていればよい。
【００１５】
上記実施例では、縦横を第１拘束片６ａ、６ｂと第２拘束片７ａ、７ｂとで掛止めたが、上記拘束構成の一部または全部に代えてボルト止めやリベット止めなどの固定手段を用いることができる。
図４は、第１拘束片６ｂに代えて、取付台盤１１の固定孔１２’に整合する孔６１、６２を第１拘束部６ｂ’として中央ベース壁部４に穿設したキャスタ取付部材１の異なる実施例を示す。
【００１６】
この場合、第１拘束片６ａは予め折り曲げておき、取付台盤１１を掛け止めた後に取付台盤１１の固定孔１２’を上記孔６１、６２と整合して、ボルト止めやリベット止め、あるいはネジ止めなどで固定することができる。
その他の構成は前記実施例と同様であるので、その説明を省略する。
また、上記構成に代えて、孔６１、６２を設けず、直接にネジやボルトなどの固定手段１３で、中央ベース壁部４に取付台盤１１を固定してもよい。
【００１７】
次に、図５から図７は、キャスタ取付部材１の別の実施例を示す。
このキャスタ取付部材１は、第１突部３と、中央ベース壁部４と、第２突部５とが連続する折板構造からなっている。
即ち、第１突部３は、左右両側に切込み溝３ａを有し、該切込み溝３ａで囲まれた中央部分は、中央ベース壁部４の延出部４ａから直角に立ち上がる中央立上り壁部３５を有して下向きのアングル状に折れ曲がり、その上端は外方へ直角に折れ曲がって第１頂壁部３２の一部３２ａを形成している。
【００１８】
また、切込み溝３ａの左右両側は中央ベース壁部４の側方端部４ｂから立ち上がる側方立上り壁部３６と、この上端で外方へ直角に折れ曲がる側方頂面３２ｂとからなる上向きのアングル状に折れ曲がっている。
そして、前記側方頂面３２ｂは更に延出方向に延びて、前記第１頂壁部の一部３２ａと一体になって平面略コ字状の水平面からなる第１頂壁部３２を形成している。
【００１９】
同様に、第２突部５は、左右両側に切込み溝５ａを有し、該切込み溝５ａで囲まれた中央部分は、中央ベース壁部４の他方の延出部４ａ’から直角に立ち上がる中央立上り壁部５５を有して下向きのアングル状に折れ曲がり、その上端は外方へ直角に折れ曲がって第２頂壁部５２の一部５２ａを形成している。
【００２０】
また、切込み溝５ａの左右両側は中央ベース壁部４の他方の側方端部４ｂ’から立ち上がる側方立上り壁部５６と、この上端で外方へ直角に折れ曲がる側方頂面５２ｂとからなる上向きのアングル状に折れ曲がっている。
そして、前記側方頂面５２ｂは更に延出方向に延びて、前記第２頂壁部の一部５２ａと一体になって平面略コ字状の水平面からなる第２頂壁部５２を形成している。
そして、第２頂壁部５２の延出端には、左右両側で略直角に立設するストッパ片５３を設けて、被取付物への位置決め用としている。
【００２１】
次に、本実施例では、前記第１突部３および第２突部５の底壁となる中央ベース壁部４の延出部４ａに、下方に突出する一対の第１拘束片６ａ、６ｂを設けている。
図示例では第１拘束片６ａ、６ｂは、前記延出部４ａの略中央で下に向かって切り起こした垂直壁に形成されている。
【００２２】
また、前記第１突部３および第２突部５の頂壁となる側方頂面３２ｂには、それぞれ取付孔８が形成されている。
ここで、符号１２は、取付台盤１１の四隅に穿設された取付用の孔である。
【００２３】
そして前記一対の第１拘束片６ａ、６ｂは、一定の間隔で対峙しており、取付台盤１１の前後縁部に略隙間無く衝合し、前後方向の位置決めを行うようになっている。
【００２４】
次に、中央ベース壁部４の左右両端の中央にはキャスタ１０の取付台盤１１を左右方向に拘束する第２拘束部の一例としての一対の第２拘束片７ａ、７ｂを設けている。
この第２拘束片７ａ、７ｂは、その先端を取付台盤１１の左右縁部を覆うようにチャンネル状に折り曲げて拘束するようになっている。
【００２５】
これにより、前後に設けられた一対の第１拘束片６ａ、６ｂが衝合壁となって、取付台盤１１の前後方向の位置決めを行い、左右に設けられた一対の第２拘束片７ａ、７ｂが取付台盤１１の左右縁部と対峙し、この第２拘束片７ａ、７ｂを折り曲げることによって取付台盤１１を固定することができる。
【００２６】
ここでも第２拘束片の一方を予めチャネル状に形成しておいて取付台盤１１の左右一方の縁部を掛止め、その後に他方の第２拘束片を折り曲げて前記取付台盤１１を拘束する構成であってもよい。
また、この実施例で第１突部はキャスタの進行方向前方側とし、第２突部は後方側としたが逆に配置するものであってもよい。
その他の構成は前記実施例と同様であるので同一構成には同一符号を付して説明を省略する。
【００２７】
このようにこの発明では、第１突部や第２突部の形状は特に限定されず、要するに第１突部と第２突部の同一面上に形成された頂面に取付孔などの取付部が形成されていればよく、同様にこれらの底面ないし中央ベース壁部に第１および第２拘束片などの拘束部が形成されていればよい。
また、上記実施例では、取付台盤の取付部（孔）のピッチと、キャスタ取付部材の取付部（孔）のピッチとが異なる場合を例に説明したが、同一のピッチであってもよく、その場合はキャスタの取付高さを高くするために用いることができる。
その他要するにこの発明の要旨を変更しない範囲で種々設計変更しうること勿論である。
【００２８】
【発明の効果】
この発明は、上記のように構成されているので、被取付物とキャスタの間で、その取付孔のピッチや、取付高さが異なる場合に、キャスタ取付部材をキャスタと被取付物との間に介設することにより、新たなキャスタを製作することなく、前記キャスタを被取付物に取り付けることができ、利便性が極めて高い。
【図面の簡単な説明】
【図１】キャスタ取付部材の実施例の側面図である。
【図２】同平面図である。
【図３】同正面図である。
【図４】キャスタ取付部材の異なる実施例の平面図である。
【図５】キャスタ取付部材の別の実施例の側面図である。
【図６】同平面図である。
【図７】同正面図である。
【符号の説明】
１・・・キャスタ取付部材
２・・・補助ベース壁部
３・・・第１突部
４・・・中央ベース壁部
５・・・第２突部
６ａ、６ｂ・・・第１拘束片
７ａ、７ｂ・・・第２拘束片
８・・・取付孔
９・・・ナット部
１０・・・キャスタ
１１・・・取付台盤
【図１】
2004066867.tif 000003
【図２】
2004066867.tif 000004
【図３】
2004066867.tif 000005
【図４】
2004066867.tif 000006
【図５】
2004066867.tif 000007
【図６】
2004066867.tif 000008
【図７】
2004066867.tif 000009